(57)【要約】【課題】機器から導出される光の中の有害なＵＶがカットでき、人体に対する悪影響が軽減され、また塗装やメッキを施したパネル面などのＵＶによる変色が軽減できる光源内蔵型機器を提供する。【解決手段】筐体１内部に光源３を有する光源内蔵型機器において、光源３からの光の一部を導出する導光ダクト２と、導光ダクト２で導出される光の中の紫外線分をカットする紫外線カット手段６と、紫外線カット手段６を透過した光で筐体１外の所定部分を照射する開口部７とを設けたことを特徴とする。【選択図】    図１
2005031341.tif 000002
【特許請求の範囲】
【請求項１】
筐体内部に光源を有する光源内蔵型機器において、
前記光源からの光の一部を導出する導光ダクトと、
その導光ダクトで導出される光の中の紫外線分をカットする紫外線カット手段と、
その紫外線カット手段を透過した光で前記筐体外の所定部分を照射する開口部とを設けたことを特徴とする光源内蔵型機器。
【請求項２】
請求項１記載の光源内蔵型機器において、前記導光ダクト内に前記光源が配置され、その光源からの漏れ光を前記導光ダクトで集めて導出することを特徴とする光源内蔵型機器。
【請求項３】
請求項２記載の光源内蔵型機器において、前記導光ダクトに絞られた導出開口部が設けられ、その導出開口部に前記紫外線カット手段が設置されていることを特徴とする光源内蔵型機器。
【請求項４】
請求項１記載の光源内蔵型機器において、前記筐体外の照明される所定部分が当該筐体に設けられた端子部または操作部であることを特徴とする光源内蔵型機器。
【発明の詳細な説明】
【０００１】
【発明の属する技術分野】
本発明は、機器に付設されている端子部や操作部などの照明構造に係り、例えば液晶プロジェクション装置や液晶テレビジョン等の筐体内部に光源を有し、その光源からの光量の一部を端子部や操作部などの照明として利用する構造に関する。
【０００２】
【従来の技術】
この種の従来技術として、操作部などに専用の照明器具を取り付け、その照明器具により操作部などを照らす技術として、例えば下記特許文献１に記載のものがある。しかしこのものでは、専用の照明器具が必要で、液晶プロジェクション装置や液晶テレビジョン等の本体が大型化するばかりでなく、構造が複雑になり、メンテナンスが煩雑で、しかも専用照明器具分だけ消費電力が嵩むという欠点がある。
【０００３】
このような欠点を解消するため、本出願人は先に下記特許文献２に記載されているような機器操作部の照明装置を提案した。
【０００４】
この操作部の照明装置は、筐体内部に設置されている光源からの光量の一部を操作部に導くための導光部を設けた構成になっている。
【０００５】
【特許文献１】
実開平２−８８１５号公報
【０００６】
【特許文献２】
実開平２−２６９５号公報
【０００７】
【発明が解決しようとする課題】
前記特許文献２に記載されている操作部の照明装置は、筐体内部に設置されている光源からの光量の一部を操作部の照明用として利用するものであり、前記特許文献１記載のもののように専用の照明器具は不要であり、機器の大型化や消費電力の増大などの問題は解消することができるが、問題がない訳ではない。
【０００８】
すなわち、筐体内部に設置されている光源から発せられる光の中に有害な紫外線（ＵＶ）が存在しており、そのＵＶも一緒に操作部に照射され、人体に悪影響を及ぼす懸念がある。また塗装やメッキを施したパネル面がＵＶにより変色するという難点もある。
【０００９】
本発明の目的は、このような従来技術の欠点を解消し、機器から導出される光の中の有害なＵＶがカットでき、人体に対する悪影響が軽減され、また塗装やメッキを施したパネル面などのＵＶによる変色が軽減できる光源内蔵型機器を提供することにある。
【００１０】
【課題を解決するための手段】
前記目的を達成するため本発明の第１の手段は、筐体内部に例えば蛍光灯などの光源を有する例えば液晶プロジェクション装置などの光源内蔵型機器において、前記光源からの光の一部を導出する導光ダクトと、その導光ダクトで導出される光の中のＵＶをカットする例えばＵＶカットフィルタなどのＵＶカット手段と、そのＵＶカット手段を透過した光で前記筐体外の所定部分を照射する例えばスリットなどの開口部とを設けたことを特徴とするものである。
【００１１】
本発明の第２の手段は前記第１の手段において、前記導光ダクト内に前記光源が配置され、その光源からの漏れ光を前記導光ダクトで集めて導出することを特徴とするものである。
【００１２】
本発明の第３の手段は前記第２の手段において、前記導光ダクトに絞られた導出開口部が設けられ、その導出開口部に前記紫外線カット手段が設置されていることを特徴とするものである。
【００１３】
本発明の第４の手段は前記第１の手段において、前記筐体外の照明される所定部分が当該筐体に設けられた端子部または操作部であることを特徴とするものである。
【００１４】
【発明の実施の形態】
次に本発明の一実施形態を図１の一部を断面にした斜視図とともに説明する。本実施形態は、液晶プロジェクション装置における端子部の照明の例を示している。
【００１５】
図に示すように筐体（キャビネット）１の内部の所定位置に、導光路を形成するほぼ箱型をした導光ダクト２が設置され、導光ダクト２の内面は金属光沢を有するかあるいは白色の塗料が塗布されて高い光反射率を有している。導光ダクト２の内側には、蛍光灯などからなる光源３と、その光源３の前側に配置された各種レンズなどからなる光学系４が収納されている。この光学系４の前側には図示しないが液晶パネルならびに投射光学系などが設置され、液晶プロジェクション装置本体を構成している。
【００１６】
前記導光ダクト２は光学系４側とその反対側にそれぞれ開口部を有し、光学系４とは反対側の導出開口部５は所定の幅に絞られ、この導出開口部５を覆うように板状のＵＶカットフイルタ６が設置されている。このＵＶカットフイルタ６は、波長が３００〜４００ｎｍの有害な紫外線を吸収するとともに可視光を吸収しない例えばサリチル酸誘導体、ベンゾフェノン系、ベンゾトリアゾール系などの紫外線吸収剤を、例えばポリカーボネート樹脂やエポキシ樹脂などの透明樹脂に所定量分散保持した成形板などから構成されている。
【００１７】
ＵＶカットフイルタ６の近傍に、照明のための多数のスリット７が形成されている。前記導出開口部５は幅狭に絞られているから、その導出開口部５の隣にプリント配線基板８が設置され、そのプリント配線基板８から筐体１外に突出した複数の端子９が前記スリット７の近くにあって、各端子９は筐体１から出張らない構造になっている。
【００１８】
本実施形態に係る液晶プロジェクション装置は前述のような構成になっており、光源３から出射される殆どの光は液晶プロジェクションに使用される訳であるが、光源３から出射される光の一部、本実施形態では光源３のレンズ４と反対側より漏れる光量を導光ダクト部２により導出開口部５側に導き、集光してＵＶカットフイルタ６を通すことにより、人体に有害なＵＶを効果的にカットする。ＵＶカットフイルタ６を透過した光は筐体１に設けられたスリット７を通し、端子９とその近傍を明るく照射する。
【００１９】
ＵＶカットフイルタ６を透過した光をスリット７側に導くために反射板を斜めに設置したり、あるいはプリズム状のＵＶカットフイルタ６を用いることもできる。
【００２０】
前記実施形態では複数の端子９を照射する例を示したが、本発明はこれに限定されるものではなくスイッチなどを備えた操作部或いは操作部と端子部の両方、または機器のデザイン部分などを照射する場合にも適用可能である。
【００２１】
前記実施形態では液晶プロジェクション装置の場合について説明したが、本発明はこれに限定されるものではなく、例えばバックライトを有する液晶テレビなど他の光源内蔵型機器にも適用可能である。
【００２２】
【発明の効果】
請求項１記載の本発明は前述のように、筐体内部に光源を有する光源内蔵型機器において、前記光源からの光の一部を導出する導光ダクトと、その導光ダクトで導出される光の中の紫外線分をカットする紫外線カット手段と、その紫外線カット手段を透過した光で前記筐体外の所定部分を照射する開口部とを設けたことを特徴とするものである。これにより、人体に対してＵＶによる悪影響を最小限にすることができる。また、塗装やメッキを施したパネル面、端子面、デザイン面などの紫外線による変色が軽減するなどの特長を有する。
【００２３】
請求項２記載の本発明は前述のように、導光ダクト内に光源が配置され、その光源からの漏れ光を導光ダクトで集めて導出することを特徴とするものである。このように導光ダクト内に光源を配置して、光源からの漏れ光を導光ダクトで集めるから、漏れ光が効率よく集められる。また光源からの漏れ光を照明用として利用するのであるから、光源から出射されて本来所期の目的（前記実施形態では液晶表示）に使用される光量が減少することはない。
【００２４】
請求項３記載の本発明は前述のように、導光ダクトに絞られた導出開口部が設けられ、その導出開口部に紫外線カット手段が設置されているから、紫外線が有効にカットでき、また小さい形状の紫外線カット手段で済む。
【００２５】
請求項４記載の本発明は前述のように、筐体外の照明される所定部分が当該筐体に設けられた端子部または操作部であることを特徴とするものである。機器の端子部や操作部はユーザが使用する頻度が高いため、それらの部分が明るく照明されていると使用に便利である。
【図面の簡単な説明】
【図１】本発明の実施形態に係る液晶プロジェクション装置の一部を断面にした斜視図である。
【符号の説明】
１  筐体（キャビネット）
２  導光ダクト
３  光源
４  光学系
５  開口部
６  ＵＶカットフィルタ
７  スリット
８  プリント配線基板。
【図１】
2005031341.tif 000003